(57)【要約】【課題】タッチパネルへの意図しない誤入力を低減すること。【解決手段】情報処理装置としてのプリンター１は、筐体１０と、開口２５が形成された第１面２１を有し、第１面２１に平行な第１回動軸１６の軸周りに回動可能なカバー２０と、カバー２０が筐体１０を覆う閉状態の時に開口２５に位置するタッチパネル５０と、を備え、カバー２０は、第１面２１の端辺２６，２７と開口２５との間に縁部２８，２９を有する。【選択図】図１
2020146979.tif 000002
【特許請求の範囲】
【請求項１】
開口が形成された第１面を有し、前記第１面に平行な第１回動軸の軸周りに回動可能なカバーと、
前記第１回動軸が接続される筐体と、
前記カバーが前記筐体を覆う閉状態の時に前記開口に位置するタッチパネルと、を備え、
前記カバーは、前記第１面の端辺と前記開口との間に縁部を有すること、
を特徴とする情報処理装置。
【請求項２】
前記カバーは、前記第１面に接続される第２面及び第３面を有し、
前記第１面、前記第２面及び前記第３面は、それぞれが相互に交差すること、
を特徴とする請求項１に記載の情報処理装置。
【請求項３】
前記タッチパネルは表面となる第４面を有し、前記第４面に平行な第２回動軸の軸周りに回動可能であり、
前記閉状態において、前記第１面及び前記第４面が互いに平行になりえること、
を特徴とする請求項１又は請求項２に記載の情報処理装置。
【請求項４】
前記第１面及び前記第４面が互いに平行な状態において、
前記第２回動軸は、前記タッチパネルの前記第１回動軸から離れた側の端部に沿って設けられ、平面視にて前記タッチパネルと重なること、
を特徴とする請求項３に記載の情報処理装置。
【請求項５】
前記カバーは、前記第１回動軸の軸周りに回動する回動速度を減衰させるダンパーを介して前記筐体と接続されていること、
を特徴とする請求項１から請求項４のいずれか一項に記載の情報処理装置。
【発明の詳細な説明】
【技術分野】
【０００１】
本発明は、情報処理装置に関する。
【背景技術】
【０００２】
プリンターや、プリンターと他の機能を合わせ持った複合機などの情報処理装置は、ディスプレイに表示されている案内画像を指で触れることで各種の入力操作を可能とするタッチパネルを備えている。例えば、特許文献１には、タッチパネルにユーザーの意図しない誤入力がされることを低減するために、タッチパネルの感度を下げる情報処理装置としての情報機器が開示されている。特許文献１の情報処理装置は、カバーが開状態の場合にタッチパネルの感度を下げて誤入力を低減している。
【先行技術文献】
【特許文献】
【０００３】
【特許文献１】特開２０１４−１６９１７号公報
【発明の概要】
【発明が解決しようとする課題】
【０００４】
ユーザーは、閉状態のカバーを持ち上げる時にタッチパネルに接触する可能性がある。しかしながら、特許文献１の情報処理装置は、カバーが閉状態の時はタッチパネルの感度が高いままなので、タッチパネルへの意図しない接触によって誤入力を起す虞があった。
【課題を解決するための手段】
【０００５】
本願の情報処理装置は、開口が形成された第１面を有し、前記第１面に平行な第１回動軸の軸周りに回動可能なカバーと、前記第１回動軸が接続される筐体と、前記カバーが前記筐体を覆う閉状態の時に前記開口に位置するタッチパネルと、を備え、前記カバーは、前記第１面の端辺と前記開口との間に縁部を有することを特徴とする。
【０００６】
上記の情報処理装置において、前記カバーは、前記第１面に接続される第２面及び第３面を有し、前記第１面、前記第２面及び前記第３面は、それぞれが相互に交差することが好ましい。
【０００７】
上記の情報処理装置において、前記タッチパネルは表面となる第４面を有し、前記第４面に平行な第２回動軸の軸周りに回動可能であり、前記閉状態において、前記第１面及び前記第４面が互いに平行になりえることが好ましい。
【０００８】
上記の情報処理装置は、前記第１面及び前記第４面が互いに平行な状態において、前記第２回動軸は、前記タッチパネルの前記第１回動軸から離れた側の端部に沿って設けられ、平面視にて前記タッチパネルと重なることが好ましい。
【０００９】
上記の情報処理装置において、前記カバーは、前記第１回動軸の軸周りに回動する回動速度を減衰させるダンパーを介して前記筐体と接続されていることが好ましい。
【図面の簡単な説明】
【００１０】
【図１】実施形態に係るプリンターの概略構成を示す斜視図。
【図２】カバーが開状態のプリンターを示す斜視図。
【図３】プリンターの内部構成を示す模式断面図。
【図４】タッチパネルが水平状態のプリンターを示す断面図。
【図５】タッチパネルが傾斜状態のプリンターを示す断面図。
【図６】タッチパネルが傾斜状態のプリンターを示す斜視図。
【図７】変形例１に係るプリンターの概略構成を示す斜視図。
【図８】ダンパーを拡大して示す斜視図。
【図９】変形例２に係るタッチパネルが傾斜状態のプリンターを示す斜視図。
【図１０】カバーが開状態のプリンターを示す斜視図。
【発明を実施するための形態】
【００１１】
以下、本発明の実施形態について、図面を参照して説明する。以下は、本発明の一実施形態であって、本発明を限定するものではない。なお、以下の各図においては、説明を分かりやすくするため、実際とは異なる尺度で記載している場合がある。また、図面に付記する座標においては、Ｚ軸に沿う両方向は上下方向であり矢印方向が「上」、Ｘ軸に沿う両方向は左右方向であり矢印方向が「左」、Ｙ軸に沿う両方向は前後方向であり矢印方向が「前」、Ｘ−Ｙ平面が「水平面」としている。また、Ｘ軸に沿う両方向は主走査方向に対応し、Ｙ軸は搬送方向に対応する。
【００１２】
１．実施形態
本実施形態では、情報処理装置の一例として、媒体Ｍに液滴を吐出することで画像などを記録するインクジェット方式のプリンター１について説明する。
図１は、実施形態に係るプリンター１の概略構成を示す斜視図である。図２は、カバー２０が開状態のプリンター１を示す斜視図である。図３は、プリンター１の内部構成を示す模式断面図である。なお、図３では、媒体Ｍが搬送される搬送経路を２点鎖線で示している。
【００１３】
まず、情報処理装置としてのプリンター１の構成について図１から図３を参照して説明する。プリンター１は、Ｘ軸に沿って長い略直方体形状の筐体１０と、筐体１０の上面に備えられるタッチパネル５０と、筐体１０の上面を覆うカバー２０とを備えている。
【００１４】
筐体１０の上面後方には、媒体Ｍを筐体１０の内部に供給するための媒体供給口１１が設けられている。媒体供給口１１の背面側には、媒体供給口１１に差し込まれた媒体Ｍの背面を支持する板状の媒体サポート１２が媒体Ｍのサイズに応じて媒体供給口１１の後端から筐体１０の上方に突出するように伸縮可能に設けられている。媒体サポート１２は、媒体供給口１１のＸ軸に沿う両端の内側壁を回動支点として回動可能に接続されている。媒体Ｍの供給を行わない時、媒体供給口１１から筐体１０の内部に埃や異物が入らないように、媒体供給口１１は媒体サポート１２を縮めて回動させることにより閉じられる。
【００１５】
筐体１０の前面下方には、記録済みの媒体を筐体１０の外部に排出するための媒体排出口１３が設けられている。媒体排出口１３の下面側には、排出されてくる媒体Ｍを支持する板状の媒体トレー１４が媒体Ｍのサイズに応じて媒体排出口１３の下端から筐体１０の前方に突出するように伸縮可能に設けられている。記録を行わない時、媒体トレー１４は媒体排出口１３から筐体１０内の下部に収納され、媒体排出口１３は媒体排出口１３のＸ軸に沿う両端の内側壁を回動支点として回動可能に接続されている蓋体１５で閉じられる。
【００１６】
プリンター１は、筐体１０の内部に、媒体Ｍを搬送方向に搬送する搬送部３０、媒体Ｍに記録を行う記録部４０などを備え、これらの各部の動作を制御する制御部６を有している。
【００１７】
搬送部３０は、媒体Ｍの搬送方向において記録部４０よりも上流側に位置しＸ軸に沿って媒体Ｍの幅よりも長い軸長を有する駆動ローラー３１、従動ローラー３２及び誘導ローラー３３を含んで構成されている。誘導ローラー３３は、筐体１０上方の媒体供給口１１から給送される媒体Ｍを記録部４０に誘導する。従動ローラー３２は、媒体Ｍを介して駆動ローラー３１に圧接して従動回転する。駆動ローラー３１は、従動ローラー３２との間で媒体Ｍを挟持し、駆動ローラー３１が駆動モーター（図示せず）により回転駆動されることにより、媒体Ｍが搬送方向に搬送される。
【００１８】
記録部４０は、媒体Ｍに向けてインクを吐出する記録ヘッド４１、記録ヘッド４１を保持するキャリッジ４２、キャリッジ４２の移動をガイドするガイド軸４３、媒体Ｍを支持するプラテン４５などを備えている。記録ヘッド４１は、複数のノズル（図示せず）を備え、インクを吐出可能に構成されている。ガイド軸４３は、媒体Ｍの幅方向である主走査方向に延在しキャリッジ４２を摺接可能な状態で支持する。記録ヘッド４１を保持したキャリッジ４２は、駆動モーター（図示せず）の動力によって主走査方向に往復移動する。プラテン４５は、記録ヘッド４１と対向する上面に媒体Ｍの幅方向を長手方向とする略矩形形状の面を備えている。媒体Ｍは、プラテン４５に付与される負圧によってプラテン４５の上面に吸引支持される。これにより、媒体Ｍの浮き上がりによる記録品質の低下が防止されるようになっている。
【００１９】
制御部６が媒体Ｍを搬送方向に搬送させる副走査動作と、キャリッジ４２を主走査方向に移動させながら記録ヘッド４１から媒体Ｍにインクを吐出させる主走査動作とを交互に繰り返すことにより、媒体Ｍ上に画像や文字などが記録される。なお、本実施形態では、記録ヘッド４１として、往復移動するキャリッジに搭載され媒体Ｍの幅方向に移動しながらインクを吐出するシリアルヘッド式を例示したが、媒体Ｍの幅方向に延在し固定して配列されたラインヘッド式であってもよい。
【００２０】
筐体１０の前面であって、媒体排出口１３を覆った状態の蓋体１５の左上部には、記録ヘッド４１に供給されるインクを収容するインクタンク７が収納されている。インクタンク７内のインクは、インクタンク７から記録ヘッド４１まで連通するインク供給路（図示せず）によって供給される。インクタンク７には、例えば、濃インク組成物からなるシアン、マゼンタ、イエロー、ブラックや、淡インク組成物からなるライトシアン、ライトマゼンタ、ライトイエロー、ライトブラックに加え、ホワイト、クリアーなどが収容される。記録を行う時、インクタンク７を含む媒体排出口１３の上部前面は、カバー２０で覆われている。
【００２１】
タッチパネル５０は、液晶ディスプレイ、有機ＥＬディスプレイなどの表示装置に積層されたヒューマンインターフェイスである。例えば、ユーザーは、表示装置に表示された案内画像にタッチパネル５０を介して接触することにより、使用する媒体Ｍの種類や記録モードなどの各種記録条件を選択する。制御部６はタッチパネル５０への接触位置を検出し、各種記録条件の入力を特定する。タッチパネル５０としては、静電容量方式や抵抗膜方式などによる検出方法を採用することができる。
【００２２】
次に、タッチパネル５０とカバー２０との位置関係について説明する。図４は、タッチパネル５０が水平状態のプリンター１を示す断面図である。図５は、タッチパネル５０が傾斜状態のプリンター１を示す断面図である。図６は、タッチパネル５０が傾斜状態のプリンター１を示す斜視図である。図１、図４から図６を参照して、タッチパネル５０及びカバー２０について詳述する。なお、図５においては、カバー２０及びタッチパネル５０の回動軌跡を図示している。
【００２３】
図１及び図４に示すように、カバー２０は、筐体１０を覆う閉状態において、水平面であるＸ−Ｙ平面となる第１面２１を有し、媒体供給口１１を閉じた状態の媒体サポート１２の前方に配置されている。カバー２０は、第１面２１に平行な第１回動軸１６の軸周りに回動可能である。本実施形態では、第１回動軸１６は、筐体１０の媒体供給口１１を閉じた状態の媒体サポート１２のＸ軸に平行な前側の端部に沿って設けられている。カバー２０は、第１面２１が筐体１０の上面を覆う閉状態（図１参照）と、図２に示す筐体１０の上面を開放する開状態（図２参照）とに変位可能となっている。
【００２４】
カバー２０の第１面２１には、開口２５が形成されている。開口２５は、Ｘ軸に長い矩形をなし、第１面２１の前方の端辺２６及び右方の端辺２７に沿って位置している。タッチパネル５０は、カバー２０が閉状態の時に開口２５に位置している。すなわち、タッチパネル５０は、筐体１０上面の前方右端に備えられている。カバー２０が閉状態であっても、開口２５によってタッチパネル５０への入力操作を可能としている。
【００２５】
カバー２０は、第１面２１の前側の端辺２６と開口２５との間に縁部２８を有し、第１面２１の右側の端辺２７と開口２５との間に縁部２９を有している。つまり、開口２５及びタッチパネル５０は、第１面２１の互いに接する２辺から縁部２８，２９の幅に相当する間隔を空けて設けられている。ユーザーが閉状態のカバー２０を開状態に回動させる際、タッチパネル５０は、第１面２１の縁部２８，２９によってガードされるので、ユーザーの腕などがタッチパネル５０に近づいて意図せずに接触すること、すなわちタッチパネル５０への意図しない誤入力を低減することができる。
【００２６】
さらに、カバー２０は、第１面２１に接続する第２面２２と、第１面２１及び第２面２２に接続する第３面２３とを有している。第１面２１、第２面２２及び第３面２３は、それぞれが相互に交差する。カバー２０の閉状態において、第２面２２はＸ−Ｚ平面を形成し、第３面２３は、Ｙ−Ｚ平面を形成する。すなわち、閉状態のカバー２０は、筐体１０の上面を第１面２１で覆い、前面を第２面２２で覆い、左右の側面を第３面２３で覆う。ユーザーが閉状態のカバーを開状態に回動させる際、タッチパネル５０は、第１面２１の縁部２８，２９に加えて、第２面２２及び第３面２３によってガードされるので、タッチパネル５０への誤入力をさらに低減することができる。また、カバー２０が第１面２１に接続する第２面２２及び第３面２３を備えることで、カバー２０の剛性が向上する。
【００２７】
この様なカバー２０は、ＡＢＳ樹脂やポリカーボネートなどのプラスチック樹脂を押出し形成加工で一体形成することができる。また、カバー２０の第１面２１には、記録部４０を透視可能とする透明加工された窓部２４が設けられている。筐体１０がカバー２０に覆われた状態であっても、ユーザーが窓部２４から記録動作中の状態や紙ジャムなどの異常を視認可能としている。
【００２８】
なお、本実施形態では、第１面２１、第２面２２及び第３面２３を有したカバー２０を例示したが、筐体１０の上面を覆う第１面２１だけを有したカバーであってもよい。このカバーであっても、タッチパネル５０は、第１面２１が有する縁部２８，２９によってガードされるので、上述と同様の効果を奏する。
また、本実施形態では、軸方向がＸ軸である第１回動軸１６の軸周りに回動可能なカバー２０を例示したが、これに限定するものではない。軸方向がＹ軸である第１回動軸や、Ｘ軸及びＹ軸と交差する第１回動軸の軸周りに回動可能なカバーであってもよい。
また、本実施形態では、タッチパネル５０及び開口２５がプリンター１の前方右端に設けられた構成を示したが、タッチパネル５０及び開口２５は、カバー２０の第１面２１のいずれの場所に設けられた構成であってもよい。
【００２９】
タッチパネル５０は、表面となる第４面５１を有し、カバー２０が閉状態の第１面２１とタッチパネル５０の第４面５１とは互いに平行になりえる。これにより、タッチパネル５０の表面である第４面５１とカバー２０の上面である第１面２１とがフラットになるので、ユーザーが閉状態のカバーを開状態に回動させる際のタッチパネル５０への意図しない誤入力を低減することができる。
【００３０】
図４及び図５に示すように、タッチパネル５０は、第４面５１に平行な第２回動軸１７の軸周りに回動可能である。タッチパネル５０は、カバー２０の閉状態において、カバー２０の第１面２１とタッチパネル５０の第４面５１とが平行になる水平状態（図１及び図４参照）と、水平状態から第２回動軸１７の軸周りに回動して第４面５１が傾斜する傾斜状態（図５参照）との間で変位可能となっている。本実施形態では、第２回動軸１７は、筐体１０に設けられ、タッチパネル５０が水平状態において、タッチパネル５０の第１回動軸１６から離れた側、つまりタッチパネル５０のＸ軸に平行な前側の端部に沿って設けられている。
【００３１】
さらに、第２回動軸１７は、Ｚ軸からの平面視にてタッチパネル５０と重なっている。本実施形態では、第２回動軸１７は、Ｙ軸におけるタッチパネル５０の長さを２等分する２等分線ＣＬと、タッチパネル５０の前側の端辺５２との間に位置している。また、タッチパネル５０の下側に位置する筐体１０には、タッチパネル５０が傾斜状態に回動する際に、端辺５２との干渉を防止する凹部１８が形成されている。また、図５及び図６に示すように、タッチパネル５０を傾斜状態とした場合であっても、タッチパネル５０と干渉することなく閉状態のカバー２０を開状態にすることができる。
【００３２】
カバー２０を閉状態、タッチパネル５０を傾斜状態にさせた場合、タッチパネル５０の第２回動軸１７と重なる位置から端辺５２の領域は、カバー２０の開口２５よりも下方に沈み込む。また、タッチパネル５０は、カバー２０の縁部２８よりも後方で傾斜状態となる。これにより、ユーザーが閉状態のカバー２０を開状態に回動させる際のタッチパネル５０への意図しない誤入力を低減することができる。また、タッチパネル５０と重なる位置に第２回動軸１７を設けた場合は、タッチパネル５０と重ならない位置に、第２回動軸１７を端辺５２に沿って設けた場合よりも、第２回動軸を含めたタッチパネル５０のＹ軸における長さが短くなるので、筐体１０を小型化することができる。
【００３３】
なお、本実施形態では、情報処理装置の一例としてインクジェット方式のプリンター１を例示したが、レーザー方式のプリンターでもよい。情報処理装置としては、プリンター、イメージスキャナー、ファクシミリ、電話機、コピー機、及び２つ以上の機能を複合した複合機であってもよい。
【００３４】
以上述べたように、本実施形態に係るプリンター１によれば、以下の効果を得ることができる。
プリンター１は、筐体１０を覆うカバー２０を備え、カバー２０の第１面２１には、タッチパネル５０を露出させる開口２５が備えられている。カバー２０は、タッチパネル５０をガードする縁部２８，２９を有しているので、ユーザーがカバー２０を開状態に回動させる際のタッチパネル５０への意図しない誤入力を低減することができる。
カバー２０は、第２面２２及び第３面２３を有する。ユーザーがカバー２０を開状態に回動させる際、タッチパネル５０は、第２面２２及び第３面２３によってガードされるので、タッチパネル５０への意図しない誤入力をさらに低減することができる。
カバー２０が閉状態において、タッチパネル５０の表面である第４面５１とカバーの上面である第１面２１とがフラットになるので、ユーザーがカバー２０を開状態に回動させる際のタッチパネル５０への意図しない誤入力を低減することができる。
タッチパネル５０を回動させる第２回動軸１７は、平面視にてタッチパネル５０と重なっている。タッチパネル５０を傾斜状態にさせた場合、タッチパネル５０の第２回動軸１７と重なる位置から端辺５２の領域は、カバー２０の開口２５よりも下方に沈み込み、タッチパネル５０は、カバー２０の縁部２８よりも後方で傾斜状態となる。これにより、ユーザーがカバー２０を開状態に回動させる際の意図しない誤入力を低減することができる。
【００３５】
なお、本発明は上述した実施形態に限定されず、上述した実施形態に種々の変更や改良などを加えることが可能である。変形例を以下に述べる。
【００３６】
２．変形例１
図７は、変形例１に係るプリンター１０１の概略構成を示す斜視図である。図８は、ダンパー７０を拡大して示す斜視図である。変形例１に係るプリンター１０１の構成について説明する。なお、実施形態と同一の構成部位については、同一の番号を附し、重複する説明は省略する。
【００３７】
プリンター１０１は、ダンパー７０を有している。カバー２０は、第１回動軸としての軸部７２の軸の軸周りに回動する回動速度を減衰させるダンパー７０を介して筐体１０と接続されている。ダンパー７０は、摩擦抵抗によって、カバーの回動方向と逆方向に抵抗力を生じさせる。ダンパー７０は、円柱状のシリンダー部７１、シリンダー部７１の内周に回動可能に備えられ一端がシリンダー部７１から突出した軸部７２、シリンダー部７１と軸部７２との間に挟まれた摩擦部材を備えた摩擦部（図示せず）などを含んでいる。このようなダンパーとしては、例えば、不二ラテックス株式会社製の摩擦ヒンジダンパー（型式：ＦＨＤ−Ｂ１）、株式会社ニフコ製のフリーストップヒンジ（型式：Ｍｄ４ＵＲ６）などが知られている。
【００３８】
ダンパー７０は、シリンダー部７１の外周から法線方向に突出した羽状のプレート部７３を有し、プレート部７３は、カバー２０の第１面２１に図示しない螺子などにより取り付けられている。軸部７２の一端は、一端に軸部７２の外周を囲う開口を有した取付け部７４の一端に固定され、取付け部７４の他端は、筐体１０に図示しない螺子などにより取り付けられている。本変形例では、カバー２０は、２個のダンパー７０により筐体１０に接続されている。カバー２０が回動されると、シリンダー部７１に対して軸部７２が回動し、摩擦部材により生じる摩擦抵抗が回動方向と逆方向の抵抗力として働くので、カバー２０を閉める際に生じる衝撃を低減することができる。これにより、ユーザーは、カバー２０を閉める際、開状態のカバー２０が自重で閉状態の方向に回動を始めた時点で手を離すことができる。つまり、ユーザーはタッチパネル５０よりも上方でカバーから手を離すことが可能になるので、開状態のカバー２０を閉状態に回動させる際のタッチパネル５０への意図しない誤入力を低減することができる。
【００３９】
３．変形例２
図９は、変形例２に係るタッチパネル５０が傾斜状態のプリンター２０１を示す斜視図である。図１０は、カバー２０が開状態のプリンター２０１を示す斜視図である。変形例２に係るプリンター２０１の構成について説明する。なお、実施形態と同一の構成部位については、同一の番号を附し、重複する説明は省略する。
【００４０】
図９及び図１０に示すように、プリンター２０１は、タッチパネル５０の第４面に平行な第２回動軸２１７を有している。タッチパネル５０は、第２回動軸２１７の軸周りに回動可能である。第２回動軸２１７は、筐体１０に設けられ、平面視にてタッチパネル５０と重なっている。第２回動軸２１７は、タッチパネル５０の端辺５２（図４参照）に対して傾斜し、Ｘ軸及びＹ軸と交差している。具体的には、第２回動軸２１７の左端は、実施形態で説明したタッチパネル５０の２等分線ＣＬ（図４参照）付近で筐体１０に接続され、第２回動軸２１７の右端は、タッチパネル５０の端辺５２に近い位置で筐体１０に接続されている。
【００４１】
このように配置された第２回動軸２１７の軸周りにタッチパネル５０を回動させることにより、タッチパネル５０の第４面５１は前面側に立ち上がると共に左側に傾く。これにより、タッチパネル５０は、第４面５１がプリンター２０１の前面側の中央付近で作業するユーザーに対向する方向に傾く傾斜状態になるので、ユーザーからの視認性が向上する。また、プリンター２０１の正面に位置するユーザーが閉状態のカバー２０を右手で開状態に回動させる際、タッチパネル５０の第４面５１は左側に傾いているので、タッチパネル５０への意図しない誤入力を低減することができる。
【００４２】
以下に、実施形態から導き出される内容を記載する。
【００４３】
情報処理装置は、開口が形成された第１面を有し、前記第１面に平行な第１回動軸の軸周りに回動可能なカバーと、前記第１回動軸が接続される筐体と、前記カバーが前記筐体を覆う閉状態の時に前記開口に位置するタッチパネルと、を備え、前記カバーは、前記第１面の端辺と前記開口との間に縁部を有することを特徴とする。
【００４４】
この構成によれば、タッチパネルは、カバーに設けられた開口に位置している。ユーザーが閉状態のカバーを開状態に回動させる際、タッチパネルは、第１面の端辺と開口との間の縁部によってガードされる。これにより、ユーザーの腕などがタッチパネルに近づいて意図せずに接触すること、すなわちタッチパネルへの意図しない誤入力を低減することができる。
【００４５】
上記の情報処理装置において、前記カバーは、前記第１面に接続される第２面及び第３面を有し、前記第１面、前記第２面及び前記第３面は、それぞれが相互に交差することが好ましい。
【００４６】
この構成によれば、カバーは、第１面に接続し、互いに交差する第２面、第３面を有している。ユーザーが閉状態のカバーを開状態に回動させる際、タッチパネルは、縁部に加えて第２面及び第３面によってガードされるので、タッチパネルへの誤入力をさらに低減することができる。
【００４７】
上記の情報処理装置において、前記タッチパネルは表面となる第４面を有し、前記第４面に平行な第２回動軸の軸周りに回動可能であり、前記閉状態において、前記第１面及び前記第４面が互いに平行になりえることが好ましい。
【００４８】
この構成によれば、タッチパネルの第４面とカバーの第１面とを平行にすることが可能になる。これにより、タッチパネルとカバーとがフラットになるので、ユーザーが閉状態のカバーを開状態に回動させる際のタッチパネルへの意図しない誤入力を低減することができる。
【００４９】
上記の情報処理装置は、前記第１面及び前記第４面が互いに平行な状態において、前記第２回動軸は、前記タッチパネルの前記第１回動軸から離れた側の端部に沿って設けられ、平面視にて前記タッチパネルと重なることが好ましい。
【００５０】
この構成によれば、第２回動軸はタッチパネルと重なる位置にある。第２回動軸は、第１回動軸から離れた側の端部よりもタッチパネルの内側に位置しているので、タッチパネルの第２回動軸と重なる位置から縁部の領域は、カバーの開口よりも下方に沈み込む。これにより、ユーザーが閉状態のカバーを開状態に回動させる際のタッチパネルへの意図しない誤入力を低減することができる。
【００５１】
上記の情報処理装置において、前記カバーは、前記第１回動軸の軸周りに回動する回動速度を減衰させるダンパーを介して前記筐体と接続されていることが好ましい。
【００５２】
この構成によれば、カバーと筐体とはダンパーを介して接続されているので、カバーを閉める際に生じる衝撃を低減することができる。これにより、ユーザーは、カバーを閉める際、カバーが自重で閉方向に回動を始めた時点で手を離すことができる。すなわち、ユーザーはタッチパネルよりも上部でカバーから手を離すことが可能になるので、タッチパネルへの意図しない誤入力を低減することができる。
【符号の説明】
【００５３】
１，１０１，２０１…プリンター、６…制御部、１０…筐体、１６…第１回動軸、１７，２１７…第２回動軸、２０…カバー、２１…第１面、２２…第２面、２３…第３面、２５…開口、２６，２７，５２…端辺、２８，２９…縁部、３０…搬送部、４０…記録部、４１…記録ヘッド、４２…キャリッジ、４３…ガイド軸、４５…プラテン、５０…タッチパネル、５１…第４面、７０…ダンパー、Ｍ…媒体。
【図１】
2020146979.tif 000003
【図２】
2020146979.tif 000004
【図３】
2020146979.tif 000005
【図４】
2020146979.tif 000006
【図５】
2020146979.tif 000007
【図６】
2020146979.tif 000008
【図７】
2020146979.tif 000009
【図８】
2020146979.tif 000010
【図９】
2020146979.tif 000011
【図１０】
2020146979.tif 000012